(57)【要約】      （修正有）【課題】設定情報を適切に同期できる通信システムを提供する。【解決手段】通信システム１００では、第二の電子機器２（同期先）が第一の電子機器２α（同期元）から設定に関する設定情報を取得する。第二の電子機器は、設定情報を取得するか否かが設定された取得可否情報を記憶手段１９に記憶している。第一の電子機器は、設定情報が記憶された設定情報記憶手段１９２と、第二の電子機器から設定情報を取得するという取得可否情報を取得した場合は設定情報を第二の電子機器に送信し、設定情報を取得しないという取得可否情報を取得した場合は設定情報を送信しない情報送受信手段１４と、を有する。【選択図】図６
2019029814.tif 000002
【特許請求の範囲】
【請求項１】
第二の電子機器が第一の電子機器から設定に関する設定情報を取得する通信システムであって、
前記第二の電子機器は、
前記設定情報を取得するか否かが設定された取得可否情報を記憶手段に記憶しており、
前記第一の電子機器は、
前記設定情報が記憶された設定情報記憶手段と、
前記第二の電子機器から前記設定情報を取得するという前記取得可否情報を取得した場合は前記設定情報を前記第二の電子機器に送信し、前記設定情報を取得しないという前記取得可否情報を取得した場合は前記設定情報を送信しない情報送受信手段と、
を有する通信システム。
【請求項２】
前記第二の電子機器は、
前記第二の電子機器から前記設定情報を受信した場合、前記設定情報の状態を受信済みに設定する情報受信手段を有し、
前記第一の電子機器における前記情報送受信手段は、前記設定情報の状態を前記第二の電子機器から受信し、前記設定情報の状態が受信済みでない場合、前記設定情報を前記第二の電子機器に送信する請求項１に記載の通信システム。
【請求項３】
前記第二の電子機器は、
前記第二の電子機器への操作により前記設定情報の設定を受け付ける設定受付手段を有し、
前記設定受付手段は、前記設定情報の設定を受け付けた場合、前記設定情報の状態を未受信に設定し、前記情報受信手段は前記第一の電子機器から前記設定情報を受信する請求項２に記載の通信システム。
【請求項４】
前記第二の電子機器は、
前記情報受信手段が受信した前記設定情報を前記第二の電子機器に反映させ、前記設定情報の状態を反映済みに設定する情報反映手段を有し、
前記情報送受信手段は前記設定情報の状態が前記反映済みの場合、前記設定情報を前記第二の電子機器に送信しない請求項３に記載の通信システム。
【請求項５】
前記設定受付手段が、前記設定情報の設定を受け付けた場合、前記設定情報の状態を前記反映済みから未受信に設定し、前記情報受信手段は前記第一の電子機器から前記設定情報を受信する請求項４に記載の通信システム。
【請求項６】
前記情報送受信手段は、前記設定情報の識別情報と共に前記設定情報を前記第二の電子機器に送信し、
前記情報送受信手段は、前記設定情報の状態と前記設定情報の識別情報を前記第二の電子機器から受信し、前記設定情報の状態が受信済みでも、前記送信した前記設定情報の識別情報が前記第二の電子機器から受信した前記設定情報の識別情報と異なる場合、前記設定情報を前記第二の電子機器に送信する請求項２〜５のいずれか１項に記載の通信システム。
【請求項７】
複数の前記第一の電子機器を有し、
複数の前記第一の電子機器の前記情報送受信手段がそれぞれ前記設定情報と前記設定情報の識別情報を前記第二の電子機器に送信し、
前記情報送受信手段は、前記第二の電子機器から受信した前記設定情報の状態と前記設定情報の識別情報に基づいて、前記第二の電子機器に前記設定情報を送信するか否かを判断する請求項６に記載の通信システム。
【請求項８】
第二の電子機器が第一の電子機器から設定に関する設定情報を取得する通信システムの通信方法であって、
前記第一の電子機器が、第二の電子機器から前記設定情報を取得するか否かが設定された取得可否情報を取得するステップと、
前記設定情報を取得するという前記取得可否情報を取得した場合は前記設定情報を前記第二の電子機器に送信し、前記設定情報を取得しないという前記取得可否情報を取得した場合は前記設定情報を送信しないステップと、
を有する通信方法。
【請求項９】
設定に関する設定情報を取得するか否かが設定された取得可否情報を記憶手段に記憶する第二の電子機器に、前記設定情報を送信する電子機器であって、
前記設定情報が記憶された設定情報記憶手段と、
前記第二の電子機器から前記設定情報を取得するという前記取得可否情報を取得した場合は前記設定情報を前記第二の電子機器に送信し、前記設定情報を取得しないという前記取得可否情報を取得した場合は前記設定情報を送信しない情報送受信手段と、
を有する電子機器。
【発明の詳細な説明】
【技術分野】
【０００１】
本発明は、通信システム、通信方法、及び、電子機器に関する。
【背景技術】
【０００２】
大型のフラットパネルディスプレイにタッチパネルが搭載された電子黒板が知られている。電子黒板は黒板の役割をする画面を表示し、タッチパネルを介して電子ペンや指などの軌跡をストロークとして取り込んで、ストロークを手書き内容として画面に描画する。したがって、ユーザは画面を黒板のように使用することができる。
【０００３】
このような電子黒板はプリンターと接続できたり、他の拠点の電子黒板と通信できたりするなど益々高機能化しており、顧客の管理者等が設定すべき設定項目の数も増大している。一方で、同種の電子黒板が１つの組織内に複数、配置される場合があるため、管理者が１つ１つの電子黒板に設定情報を設定することが手間になっていた。
【０００４】
そこで、複数の電子黒板に同じ設定を効率的に行う技術が考案されている（例えば、特許文献１参照。）。特許文献１には、設定情報が設定される同期先（子）の電子黒板から設定情報をすでに持っている同期元（親）の電子黒板に対し、設定情報を要求して取得する通信システムについて開示されている。
【０００５】
しかしながら、特許文献１に記載された設定方法では、全ての同期先の電子黒板に同期元の情報（例えばＩＰアドレス）を設定する必要があるため、管理者の作業負担を低減しにくいという問題があった。
【０００６】
この不都合に対し、管理者等が同期元の電子黒板に全ての同期先の電子黒板を設定し、同期元の電子黒板から同期先の電子黒板に設定情報を送信することが検討される。
【発明の概要】
【発明が解決しようとする課題】
【０００７】
しかしながら、同期元の電子黒板から同期先の電子黒板に設定情報を送信する態様では、同期されたくない電子黒板も同期されてしまうという問題がある。補足すると、電子黒板のユーザや電子黒板の使用環境によっては独自の設定情報で電子黒板を使用したいという要望がある。例えば、特定のプリンターを使って印刷したい場合や、電子黒板に所定の背景を表示させたいような場合である。独自の設定情報が同期により上書きされると、ユーザは再度、独自の設定情報を設定しなければならない。
【０００８】
また、同期元の電子黒板から同期先の電子黒板に設定情報を送信する態様では、例えば電子黒板の数が多い場合に、管理者が間違った同期先の電子黒板を同期元の電子黒板に設定するという別の問題も生じ得る。この場合、本来、同期すべきでない同期先が同期されるおそれがある。
【０００９】
本発明は、上記課題に鑑み、設定情報を適切に同期できる通信システムを提供することを目的とする。
【課題を解決するための手段】
【００１０】
本発明は、第二の電子機器が第一の電子機器から設定に関する設定情報を取得する通信システムであって、前記第二の電子機器は、前記設定情報を取得するか否かが設定された取得可否情報を記憶手段に記憶しており、
前記第一の電子機器は、前記設定情報が記憶された設定情報記憶手段と、前記第二の電子機器から前記設定情報を取得するという前記取得可否情報を取得した場合は前記設定情報を前記第二の電子機器に送信し、前記設定情報を取得しないという前記取得可否情報を取得した場合は前記設定情報を送信しない情報送受信手段と、を有する。
【発明の効果】
【００１１】
設定情報を適切に同期できる通信システムを提供することができる。
【図面の簡単な説明】
【００１２】
【図１】通信システムによる設定情報の同期の概略を説明する図の一例である。
【図２】通信システムの概略構成図の一例である。
【図３】電子黒板の動作の概略を説明する図である。
【図４】電子黒板のハードウェア構成図の一例である。
【図５】端末装置の概略的なハードウェア構成図の一例である。
【図６】同期元の電子黒板、同期先の電子黒板、及び、端末装置の機能をブロック状に示す機能ブロック図の一例である。
【図７】端末装置のブラウザソフトウェアがＬＣＤに表示した同期元設定画面の一例である。
【図８】端末装置が同期元の電子黒板を設定する手順を示すシーケンス図の一例である。
【図９】端末装置のブラウザソフトウェアがＬＣＤに表示した設定情報設定画面の一例である。
【図１０】同様の設定を電子黒板のディスプレイから管理者が設定するための設定情報設定画面の一例である。
【図１１】プリンターアドレスを電子黒板のディスプレイから管理者が設定するための設定情報設定画面の一例である。
【図１２】Ｗｅｂ設定、ＵＩ設定による設定情報の設定手順を示すシーケンス図の一例である。
【図１３】同期元の電子黒板が同期先の電子黒板に設定情報を送信する手順を示すシーケンス図の一例である（実施例１）。
【図１４】同期元の電子黒板が同期可否に基づいて設定情報を送信するか否かを判断する手順を示すフローチャート図の一例である。
【図１５】同期先の電子黒板が設定情報を反映させる手順を示すフローチャート図の一例である。
【図１６】同期元の電子黒板が同期先の電子黒板に設定情報を送信する手順を示すシーケンス図の一例である（実施例２）。
【図１７】同期元の電子黒板が同期可否と同期状態に基づいて設定情報を送信するか否かを判断する手順を示すフローチャート図の一例である。
【図１８】同期元の電子黒板が同期先の電子黒板に設定情報を送信する手順を示すシーケンス図の一例である（実施例３）。
【図１９】同期元の電子黒板が同期先の電子黒板に設定情報を送信する手順を示すシーケンス図の一例である（実施例４）。
【図２０】同期元の電子黒板が同期可否、同期状態及び設定情報の識別情報に基づいて設定情報を送信するか否かを判断する手順を示すフローチャート図の一例である。
【図２１】同期元の電子黒板が同期先の電子黒板に設定情報を送信する手順を示すシーケンス図の一例である（実施例５）。
【図２２】同期元の電子黒板が同期先の電子黒板に設定情報を送信する手順を示すシーケンス図の一例である（実施例６）。
【発明を実施するための形態】
【００１３】
以下、本発明を実施するための形態の一例として、通信システムと通信システムが行う通信方法について図面を参照しながら説明する。
【実施例１】
【００１４】
＜動作の概略＞
図１は、本実施例の通信システム１００による設定情報の同期の概略を説明する図の一例である。通信システム１００は少なくとも一台の同期元の電子黒板２αを有している。同期先の電子黒板２には同期元の電子黒板２αと設定情報を同期するか否かが設定されている。この設定を「同期可否」と称する。設定情報の同期により管理者の作業負担が低減されるが、設定情報が同期されない電子黒板２があることが望まれるのは、ユーザが個別の設定で電子黒板２を使用したいような場合である。
【００１５】
設定情報にはプリンターの設定、テンプレート（電子黒板の背景）の設定、及び、メールアドレス帳の設定など、多種多様な設定に関する情報が含まれる。これらを例にすると設定情報が同期されないことが望まれるのは、特定のプリンターを使用している場合や特殊なテンプレートを使用している場合等が挙げられる。あるいは、電子メールによる通信を制限したいような場合もある。また、大事な会議のために管理者が専用の設定をしたが、これが同期により上書きされることを防止したい場合もある。
【００１６】
本実施形態の電子黒板２は一例として以下のように動作する。
（１）同期元の電子黒板２αには管理者などが設定情報を設定する。
（２）同期元の電子黒板２αは例えば定期的に設定情報を同期先の電子黒板２に送信するかどうかを判断するため、同期先の電子黒板２Ａ〜２Ｃから同期可否を取得する。
（３）同期元の電子黒板２αは、同期可否が「同期する」に設定されている電子黒板２に対してのみ設定情報を送信する。
【００１７】
図１の例では、電子黒板２Ａと電子黒板２Ｂは同期可否が「同期する」なので、同期元の電子黒板２αが電子黒板２Ａ，２Ｂに設定情報を送信する。電子黒板２Ｃは同期可否が「同期しない」なので、設定情報が送信されない。
【００１８】
したがって、本実施形態の通信システム１００は、同期先の電子黒板２に同期元の電子黒板２αの情報（例えばＩＰアドレス）を設定する必要がないため、管理者の作業負担を低減できる。また、同期先ごとに管理者が同期可否を設定できるので、同期元の電子黒板２αと同期させたくない電子黒板が同期元の電子黒板２αと設定情報を同期しないようにすることができる。また、仮に、管理者が間違った同期先の電子黒板２を同期元の電子黒板２αに設定しても、同期先の電子黒板２の同期可否が「同期しない」に設定されていれば、同期すべきでない同期先の電子黒板２が同期されることを防ぐことができる。
【００１９】
なお、以下では、複数の電子黒板２のうち任意の電子黒板を「電子黒板２」で示し、特に同期元の電子黒板２を電子黒板２αで示す。また、同期先の電子黒板２を区別して示す場合は「電子黒板２＋アルファベット」で示す。
【００２０】
＜用語について＞
設定情報とは、電子黒板２の動作に関する設定をいう。例えば、電子黒板２が適切に動作するための設定、ネットワークを介してインターネットや他の機器と通信するための設定、ユーザの嗜好に応じた設定、電子黒板２の動作を許可又は制限するための設定、各機能のオン／オフの設定などを含む。
【００２１】
本実施形態の管理者は電子黒板に設定情報を設定する者を便宜的にそう呼ぶに過ぎず、電子黒板を一般利用するユーザ又は担当者が設定情報を設定してもよい。
【００２２】
取得可否情報とは、同期先の電子黒板２が設定情報を取得するか否かに関する情報である。取得した場合は同期することになるため、同期するか否かに関する情報と称してよい。本実施形態では同期可否という用語で説明する。
【００２３】
＜通信システム１００の構成例＞
図２は、本実施形態の通信システム１００の概略構成図の一例である。通信システム１００は同期元の電子黒板２α、１台以上の同期先の電子黒板２、及び、端末装置３０を有している。なお、端末装置３０は電子黒板２と通信して設定情報を設定したり確認したりするための装置なのでなくてもよい。
【００２４】
通信システム１００は、電子黒板２という電子機器が通信することから機器システムと呼ばれてもよいし、画像を処理するため画像処理システムや情報処理システムなどと呼ばれてもよい。また、システムの呼称は通信システム１００が有する電子機器によって適宜、変更されてよい。例えば、電子黒板の場合は電子黒板システム、複合機の場合は複合機システム等と呼ばれる。
【００２５】
ネットワークＮは例えば社内的なＬＡＮであるが、広域イーサネット（登録商標）を含んでいてもよい。また、インターネットを含んでいてもよい。例えば各支店や海外の電子黒板と通信するためにＶＰＮ（Virtual Private Network）で接続されてもよい。ネットワークＮは有線又は無線のどちらで構築されてもよく、有線と無線が組み合わされていてもよい。また、ネットワークＮの他、ＵＳＢケーブルのような専用線で接続されていてもよい。また、Bluetooth（登録商標）で通信してもよい。
【００２６】
電子黒板２は、タッチパネル付大型ディスプレイを有しユーザが指示した盤面の座標を検出し座標を接続してストロークを表示する。この他、接続されたＰＣ(Personal Computer)の映像を表示したり、他拠点の電子黒板と通信してストロークを同期したりすることができる。なお、電子黒板は、電子情報ボード、又は電子ホワイトボードと呼ばれる場合もある。
【００２７】
電子黒板２は後述するハードウェア構成図から明らかなように情報処理装置としての機能を有する。また、本実施形態では電子黒板２を例に説明するが、設定情報が同期される電子機器であれば本実施形態の同期方法を適用できる。例えば、画像形成装置（複写機、プリンター、スキャナ装置、複合機、ＭＦＰ（Multi-Function Peripherals））、ネットワークカメラ（全天候型カメラ、全方位カメラを含む）、プロダクションプリンティング機（商用印刷機）、プロジェクタ、テレビ会議端末などにも適用できる。この他、ゲーム機、ヘッドマウントディスプレイ、カーナビゲーション、デジタルカメラ、ドローンなどにも適用可能である。
【００２８】
同期元の電子黒板２αと同期先の電子黒板２は、例えば、同一メーカの電子黒板であればよく、機種は同じでも異なっていてもよい。例えば、製品名が同じ電子黒板、製品名は同じだがリリース時期が異なる電子黒板、又は、製品名が異なる電子黒板などが同期の対象に含まれる。設定情報を同期できる一連の電子黒板は、例えばハードウェア的に相違があってもＯＳ（Operating System）、アプリ又はファームウェアが同じであるため（プログラムのバージョンは異なってもよい）、同じ設定項目を有する電子黒板である。また、完全に同じ設定項目を有する必要はなく、共通する設定項目があればよい。
【００２９】
管理者は、同期の対象となる電子黒板２を把握しており、同期元の電子黒板２αには同期の対象となる電子黒板（ＩＰアドレス等）が登録されている。ただし、同期する機能がない電子黒板２が同期元の電子黒板２αに登録されていても、同期先の電子黒板２がそれを無視できるので支障は少ない。同期する機能があるが同期の対象でない電子黒板２が誤って同期元の電子黒板２αに登録されている場合でも、同期先の電子黒板２において同期可否が「同期しない」に設定されている限り支障がない。
【００３０】
また、同期元の電子黒板２αは、同期元であることが設定されている電子黒板２であり、特別な機能を備えた電子黒板２である必要はない。したがって、同期先の電子黒板２が、管理者の設定により同期元の電子黒板２αと成り得る。ただし、何か特殊な機能を有する電子黒板２が同期元の電子黒板２αであってもよい。
【００３１】
また、同期元の電子黒板２αは電子黒板としての機能を有さなくてよい。すなわち、同期元の電子黒板２αは設定情報を記憶するＰＣなどの情報処理装置でよい。このＰＣはＬＡＮ内に設置されていてもインターネットやクラウド上にサーバとして設置されていてもよい。
【００３２】
端末装置３０は任意の電子黒板２と通信して管理者が各種の設定を行ったり、設定状態を確認したりするために使用される情報処理装置である。管理者は端末装置３０を操作して同期元の電子黒板２αに設定情報を設定する。また、任意の同期先の電子黒板２に設定情報を設定することも可能である。また、現在、電子黒板２に反映されている設定情報を端末装置３０が表示することも可能である。
【００３３】
端末装置３０ではブラウザソフトウェア（又はこれと同等の機能を有するプログラム）が動作している。また、電子黒板２はＷｅｂサーバの機能を有している。したがって、一般的な情報処理装置であれば端末装置３０になりうる。具体的に、端末装置３０はＰＣ、スマートフォン、タブレット端末、サングラス型や腕時計型などのウェアラブルＰＣ、ＰＤＡ（Personal Digital Assistant）、等が挙げられる。この他、ゲーム機やナビゲーション装置など、ブラウザソフトウェア又はこれと同等のプログラムが動作すればよい。
【００３４】
＜電子黒板の動作の概要＞
図３は、電子黒板２の動作の概略を説明する図である。なお、図３では、説明を簡略化するために、２台の電子黒板２ａ，２ｂ及びこれに付随する電子ペン４ａ，４ｂ等を示しているだけであって、３台以上の電子黒板や電子ペン等を利用してもよい。日常、使用される状況では電子黒板２が同期元か同期先かをユーザが意識する必要はない。
【００３５】
図３に示されているように、電子黒板システム１は、複数の電子黒板２ａ，２ｂ、複数の電子ペン４ａ，４ｂ、ＵＳＢメモリ５ａ，５ｂ、ノートＰＣ６ａ，６ｂ、テレビ（ビデオ）会議端末７ａ，７ｂ、及びＰＣ８を有する。また、電子黒板２ａ，２ｂ、及びＰＣ８は、通信ネットワーク９を介して通信可能に接続されている。更に、複数の電子黒板２ａ，２ｂには、それぞれディスプレイ３ａ，３ｂが設けられている。 
また、電子黒板２ａには、電子ペン４ａによって生じたイベント（ディスプレイ３ａに電子ペン４ａのペン先、又は、電子ペン４ａのペン尻のタッチ）による描画された画像を、ディスプレイ３ａに表示させることができる。なお、電子ペン４ａだけでなく、ユーザの手Ｈａ等によって生じたイベント（拡大、縮小、ページめくり等のジェスチャ）に基づいて、ディスプレイ３ａ上に表示されている画像を変更させることもできる。
【００３６】
また、電子黒板２ａには、ＵＳＢメモリ５ａが接続可能であり、電子黒板２ａはＵＳＢメモリ５ａからＰＤＦ等の電子ファイルを読み出したり、電子黒板２ａはＵＳＢメモリ５ａに電子ファイルを記録したりすることができる。また、電子黒板２ａには、DisplayPort（登録商標）、DVI(Digital Visual Interface)、HDMI(登録商標。High-Definition Multimedia Interface)及びVGA(Video Graphics Array)等の規格による通信が可能なケーブル１０ａ１を介して、ノートＰＣ６ａが接続されている。そして、電子黒板２ａは、ディスプレイ３ａに対する接触によってイベントを発生させ、このイベントを示すイベント情報を、マウスやキーボード等の入力装置からのイベントと同様に、ノートＰＣ６ａに送信する。同じく、電子黒板２ａには、上記規格による通信が可能なケーブル１０ａ２を介して、テレビ（ビデオ）会議端末７ａが接続されている。テレビ会議端末７ａの機能が電子黒板２に取り込まれていてもよい。なお、ノートＰＣ６ａ、及びテレビ会議端末７ａは、Bluetooth（登録商標）等の各種無線通信プロトコルに準拠した無線通信により、電子黒板２ａと通信してもよい。
【００３７】
一方、電子黒板２ｂが設置されている他の拠点では、上記と同様に、ディスプレイ３ｂを備えた電子黒板２ｂ、電子ペン４ｂ、ＵＳＢメモリ５ｂ、ノートＰＣ６ｂ、テレビ会議端末７ｂ、ケーブル１０ｂ１、ケーブル１０ｂ２が利用される。更に、ユーザの手Ｈｂ等によって生じたイベントに基づいて、ディスプレイ３ｂ上に表示されている画像を変更させることもできる。
【００３８】
これにより、一の拠点で電子黒板２ａのディスプレイ３ａ上に描画された画像は、他の拠点で電子黒板２ｂのディスプレイ３ｂ上にも表示され、逆に他の拠点で電子黒板２ｂのディスプレイ３ｂ上に描画された画像は、一の拠点で電子黒板２ａのディスプレイ３ａ上に表示される。このように、電子黒板システム１では、遠隔地において同じ画像を共有する遠隔共有処理を行うことができるため、遠隔地での会議等に用いると、非常に便利である。
【００３９】
なお、以下では、複数のディスプレイのうち任意のディスプレイを示す場合には「ディスプレイ３」と示す。
【００４０】
＜ハードウェア構成例＞
<<電子黒板のハードウェア構成>>
続いて、図４を用いて電子黒板のハードウェア構成を説明する。図４は電子黒板のハードウェア構成図の一例である。
【００４１】
図４に示されているように、電子黒板２は、電子黒板２全体の動作を制御するＣＰＵ１０１、ＩＰＬ等のＣＰＵ１０１の駆動に用いられるプログラムを記憶したＲＯＭ１０２、ＣＰＵ１０１のワークエリアとして使用されるＲＡＭ１０３、電子黒板２用のプログラム等の各種データを記憶するＳＳＤ１０４、通信ネットワーク９との通信を制御するネットワークコントローラ１０５、及び、ＵＳＢメモリ５との通信を制御する外部記憶コントローラ１０６を備えている。
【００４２】
また、電子黒板２は、ノートＰＣ６のディスプレイに対して映像情報を静止画又は動画として表示させるキャプチャデバイス１１１、グラフィクスを専門に扱うＧＰＵ(Graphics Processing Unit)１１２、及び、ＧＰＵからの出力画像をディスプレイ３やテレビ会議端末７へ出力するために画面表示の制御及び管理を行うディスプレイコントローラ１１３を備えている。
【００４３】
更に、電子黒板２は、接触センサ１１５の処理を制御するセンサコントローラ１１４、ディスプレイ３上に電子ペン４やユーザの手Ｈ等が接触したことを検知する接触センサ１１５を備えている。この接触センサ１１５は、赤外線遮断方式による座標の入力及び座標の検出を行う。この座標の入力及び座標の検出する方法は、ディスプレイ３の上側両端部に設置された２つ受発光装置が、ディスプレイ３に平行して複数の赤外線を放射し、ディスプレイ３の周囲に設けられた反射部材によって反射されて、受光素子が放射した光の光路と同一の光路上を戻って来る光を受光する方法である。接触センサ１１５は、物体によって遮断された２つの受発光装置が放射した赤外線のＩＤ(Identification)をセンサコントローラ１１４に出力し、センサコントローラ１１４が、物体の接触位置である座標位置を特定する。なお、以下に示す全ての各ＩＤは、識別情報の一例である。
【００４４】
また、接触センサ１１５としては、赤外線遮断方式に限らず、静電容量の変化を検知することにより接触位置を特定する静電容量方式のタッチパネル、対向する２の抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
【００４５】
また、電子黒板２は、電子ペンコントローラ１１６を備えている。この電子ペンコントローラ１１６は、電子ペン４と通信することで、ディスプレイ３へのペン先のタッチやペン尻のタッチの有無を判断する。なお、電子ペンコントローラ１１６が、電子ペン４のペン先及びペン尻だけでなく、電子ペン４のユーザが握る部分や、その他の電子ペンの部分のタッチの有無を判断するようにしてもよい。
【００４６】
更に、電子黒板２は、ＣＰＵ１０１、ＲＯＭ１０２、ＲＡＭ１０３、ＳＳＤ１０４、ネットワークコントローラ１０５、外部記憶コントローラ１０６、キャプチャデバイス１１１、ＧＰＵ１１２、センサコントローラ１１４、及び電子ペンコントローラ１１６を、図３に示されているように電気的に接続するためのアドレスバスやデータバス等のバスライン１２０を備えている。
【００４７】
なお、電子黒板２用のプログラムは、ＣＤ−ＲＯＭ等のコンピュータで読み取り可能な記録媒体に記録して流通させるようにしてもよい。
【００４８】
<<端末装置のハードウェア構成>>
図５は、端末装置３０の概略的なハードウェア構成図の一例である。端末装置３０は、ＣＰＵ２０１と、ＣＰＵ２０１が使用するデータの高速アクセスを可能とするメモリ２０２とを備える。ＣＰＵ２０１及びメモリ２０２は、システム・バス２０３を介して、端末装置３０の他のデバイス又はドライバ、例えば、グラフィクス・ドライバ２０４及びネットワーク・ドライバ（ＮＩＣ）２０５へと接続されている。
【００４９】
グラフィクス・ドライバ２０４は、バスを介してＬＣＤ（ディスプレイ装置）２０６に接続されて、ＣＰＵ２０１による処理結果をモニタする。また、ネットワーク・ドライバ２０５は、トランスポート層レベル及び物理層レベルで端末装置３０をネットワークＮへと接続して、電子黒板２とのセッションを確立させている。
【００５０】
システム・バス２０３には、更にＩ／Ｏバス・ブリッジ２０７が接続されている。Ｉ／Ｏバス・ブリッジ２０７の下流側には、ＰＣＩなどのＩ／Ｏバス２０８を介して、ＩＤＥ、ＡＴＡ、ＡＴＡＰＩ、シリアルＡＴＡ、ＳＣＳＩ、ＵＳＢなどにより、ＨＤＤ（ハードディスクドライブ）２０９などの記憶装置が接続されている。ＨＤＤ２０９は端末装置３０の全体を制御するプログラム２０９ｐ（例えば、ブラウザソフトウェア）を記憶している。ＨＤＤ２０９はＳＳＤ（Solid State Drive）でもよい。プログラム２０９ｐは記憶媒体に記憶された状態で配布されてもよいし、プログラム配信用のサーバから配信されてもよい。
【００５１】
また、Ｉ／Ｏバス２０８には、ＵＳＢなどのバスを介して、キーボード及びマウス（ポインティング・デバイスと呼ばれる）などの入力装置２１０が接続され、システム管理者などのオペレータによる入力及び指令を受け付けている。
【００５２】
なお、図示した端末装置３０のハードウェア構成は、端末装置３０が備えていることが好ましいハード的な要素を示すに過ぎず、図示していないが一般的な構成を有していてよい。
【００５３】
＜機能について＞
図６を用いて、通信システム１００が有する同期元の電子黒板２α、同期先の電子黒板２、及び、端末装置３０の機能について説明する。図６は、同期元の電子黒板２α、同期先の電子黒板２、及び、端末装置３０の機能をブロック状に示す機能ブロック図の一例である。
【００５４】
<<同期元の電子黒板>>
同期元の電子黒板２αは、設定受付部１１、設定情報受信部１２、Ｗｅｂサーバ部１３、情報送受信部１４、及び、設定情報反映部１５を有する。同期元の電子黒板２αが有するこれら各機能部は、図４に示された各構成要素のいずれかが、ＳＳＤ１０４からＲＡＭ１０３に展開されたプログラムに従ったＣＰＵ１０１からの命令により動作することで実現される機能又は手段である。
【００５５】
また、同期元の電子黒板２αは記憶部１９を有している。記憶部１９は、図４のＳＳＤ１０４、ＲＡＭ１０３又はＲＯＭ１０２により実現される各種の情報を記憶する記憶手段である。記憶部１９には同期元設定方針記憶部１９１、現在設定情報記憶部１９２、通信取得情報記憶部１９３、及び、同期元情報１９４が構築されている。
【００５６】
まず、これら記憶部１９に記憶されている情報について説明する。まず、同期元情報１９４は当該電子黒板が同期元の電子黒板２αであることを示す情報である。通信取得情報記憶部１９３は、端末装置３０から設定された設定情報を記憶する。現在設定情報記憶部１９２は、現在、同期元の電子黒板２αに反映されている設定情報を記憶する。反映されている設定情報とは、同期元の電子黒板２αの動作を制御する（又は規定する）設定情報である。したがって、現在設定情報記憶部１９２、及び、通信取得情報記憶部１９３が記憶する情報はどちらも本実施形態の設定情報である。
【００５７】
【表１】
2019029814.tif 000003
表１は現在設定情報記憶部１９２、又は、通信取得情報記憶部１９３に記憶されている設定情報の一例を模式的に示す。設定情報は多くの項目を有するため、表1に示すのはあくまで一部である。表１にはプリンターアドレス、メールアドレス帳、コンタクトリスト、共有フォルダー、及び、テンプレートの項目が示されている。プリンターアドレスは電子黒板が使用するプリンターのＩＰアドレスである。メールアドレス帳は、電子黒板から送信できる電子メールのアドレスのリストである。コンタクトリストは、当該電子黒板が通信する他の電子黒板のリスト（例えばＩＰアドレス）である。共有フォルダーは通信システム１００の電子黒板２がページデータ（１画面分のストロークデータ）等を共通に保存するフォルダーである。テンプレートは、ディスプレイに表示される背景の画像データ（テクスチャ）である。
【００５８】
このように、設定情報は、電子黒板２で管理者等が設定しなければならない情報を含むため、これが同期されることで管理者が各電子黒板２に設定情報を設定する作業負担を低減できる。
【００５９】
【表２】
2019029814.tif 000004
表２は、同期元設定方針記憶部１９１に記憶されている情報を模式的に示す。同期元設定方針記憶部１９１は例えば、同期先リスト及び同期タイミングの各項目を有する。同期先リストは、同期先の電子黒板２と通信するための情報であり例えばＩＰアドレスが登録されている。同期タイミングは、設定情報を同期先の電子黒板２に送信するタイミングである。例えば、毎日の決まった時刻、再起動時、又は定期的（所定時間ごと）のタイミングが設定されている。同期タイミングになると、同期元の電子黒板２αは同期先リストに登録されている電子黒板に設定情報の送信を開始する。なお、本実施形態で説明されるように、設定情報が実際に送信されるとは限らない。同期元設定方針記憶部１９１に記憶されている情報は、例えば管理者により予め設定されている。
【００６０】
（同期元の電子黒板２αの機能）
同期元の電子黒板２αには２つの方法で設定情報が設定される。１つは管理者がタッチパネルを備えたディスプレイ３（ＵＩ：User Interface）を操作して設定情報を入力する方法（ＵＩ設定）であり、もう１つは端末装置３０から設定される方法である（Ｗｅｂ設定）。Ｗｅｂ設定には更に、管理者が項目ごとに個別に設定する方法と、全ての項目の設定情報が記述されているテキストデータ（例えばＸＭＬデータ）を一括で設定する方法がある。
【００６１】
設定受付部１１は、ディスプレイ３からの入力による同期元の電子黒板２αに対する設定情報の設定を受け付ける。設定受付部１１は受け付けた設定情報を現在設定情報記憶部１９２に記憶させる。したがって、設定受付部１１が設定情報を受け付けた場合は、リアルタイムに電子黒板２αに反映される。設定受付部１１は同期元の電子黒板２αのＣＰＵ１０１がプログラムを実行して電子ペンコントローラ１１６や接触センサ１１５を制御することにおり実現される。
【００６２】
Ｗｅｂサーバ部１３は、ＨＴＭＬ、JavaScript（登録商標）、及び、ＣＳＳなどで記述されたＷｅｂページを生成し端末装置３０に送信する。なお、動的にＷｅｂページを生成するためＷｅｂサーバ部１３はＷｅｂアプリを提供する。本実施形態では、設定情報を設定するためのＷｅｂページを端末装置３０に送信し、端末装置３０から設定情報を取得する。Ｗｅｂサーバ部１３は同期元の電子黒板２αのＣＰＵ１０１がプログラムを実行しネットワークコントローラ１０５を制御すること等により実現される。
【００６３】
設定情報受信部１２は、Ｗｅｂサーバ部１３が端末装置３０から取得した設定情報を取得して通信取得情報記憶部１９３に記憶しておく。この設定情報は同期元の電子黒板２αがシャットダウン及び起動することで同期元の電子黒板２αに反映される。設定情報受信部１２は同期元の電子黒板２αのＣＰＵ１０１がプログラムを実行すること等により実現される。
【００６４】
設定情報反映部１５は、同期元の電子黒板２αがシャットダウン及び起動すると、通信取得情報記憶部１９３の設定情報を現在設定情報記憶部１９２に記憶させる。電子黒板２は現在設定情報記憶部１９２の設定情報に基づいて動作するので、通信取得情報記憶部１９３の設定情報を現在設定情報記憶部１９２に記憶させることは、電子黒板２に設定情報を反映させることになる。したがって、端末装置３０が設定情報を送信した後、同期元の電子黒板２αがシャットダウン及び起動すると、同期元の電子黒板２αの動作に反映される。設定情報反映部１５は同期元の電子黒板２αのＣＰＵ１０１がプログラムを実行すること等により実現される。
【００６５】
情報送受信部１４は、同期元設定方針記憶部１９１に設定された同期タイミングで各同期先の電子黒板２に対し同期可否を要求し、「同期する」という設定の場合に、設定情報の送信処理を開始する。情報送受信部１４は、問い合わせの結果や送信の有無を記録する必要がない。情報送受信部１４は下記の条件を満たす場合に、設定情報を送信する。１．同期可否が同期するであること
２．同期状態が未同期であること（同期済み又は反映済みでないこと）
１．により同期したくない電子黒板２が設定情報を受信することを防止でき、２．により同じ設定情報を電子黒板２が受信することを防止できる。情報送受信部１４は同期元の電子黒板２αのＣＰＵ１０１がプログラムを実行しネットワークコントローラ１０５を制御すること等により実現される。
【００６６】
<<同期先の電子黒板２>>
同期先の電子黒板２の機能の説明では、同期元の電子黒板２αとの相違を説明する。同期先の電子黒板２は、設定受付部１１、設定情報受信部１２、Ｗｅｂサーバ部１３、設定情報反映部１５、及び、同期情報受信部１６を有する。したがって、同期先の電子黒板２は同期情報受信部１６を有する点で異なっている。
【００６７】
また、同期先の電子黒板２は記憶部１９に、同期先設定方針記憶部１９６、同期取得設定情報記憶部１９５、現在設定情報記憶部１９２、及び、通信取得情報記憶部１９３が構築されている。したがって、同期先の電子黒板２は同期取得設定情報記憶部１９５及び同期先設定方針記憶部１９６を有する点で異なっている。
【００６８】
まず、同期取得設定情報記憶部１９５について説明する。同期先の電子黒板２には３つの方法で設定情報が取得される。このうち２つ（ＵＩ設定、Ｗｅｂ設定）は同期元の電子黒板２αと同様である。３つめは、同期元の電子黒板２αから設定情報を受信する方法（同期設定）である。したがって、同期取得設定情報記憶部１９５には同期元の電子黒板２αが送信した設定情報が記憶される。
【００６９】
【表３】
2019029814.tif 000005
表３は、同期先設定方針記憶部１９６に記憶されている情報を模式的に示す。同期先設定方針記憶部１９６には同期可否、同期状態、及び、再起動タイミングが設定されている。同期可否は、同期先の電子黒板２が同期元の電子黒板２αと設定情報を同期するか否かを制御する情報である。同期可否には、「同期する」又は「同期しない」のいずれかが設定される。「同期する」が設定されると同期先の電子黒板２は設定情報を同期する。より具体的には設定情報を受信する。「同期しない」が設定されると同期先の電子黒板２は設定情報を同期しない。より具体的には設定情報を受信しない。
【００７０】
同期状態は、同期元の電子黒板２αから送信された設定情報がどのような状態か示す。同期状態は、未同期、同期済み、又は、反映済みの３つの状態を取る。未同期とは設定情報を受信していない未受信の状態であり、同期済みは設定情報を受信した受信済みの状態であり（反映が必要な状態）、反映済みは設定情報が反映された状態である（すでに反映が終わっているので反映は不要な状態）。同期元の電子黒板２αから設定情報を受信できるのは未同期の状態である。
【００７１】
再起動タイミングは、同期先の電子黒板２がシャットダウン及び起動するタイミングである。シャットダウンしてすぐに起動することを再起動という。電子黒板２はシャットダウン及び起動により設定情報を反映させるため、再起動タイミングにより設定情報が反映されることになる。
【００７２】
同期先設定方針記憶部１９６に記憶されている情報は、管理者が端末装置３０又はディスプレイ３から予め設定しておく。
【００７３】
（同期先の電子黒板２の機能）
同期情報受信部１６は、この同期先設定方針記憶部１９６を参照して、同期可否を同期元の電子黒板２αに送信し、「同期する」を送信した場合に同期元の電子黒板２αから設定情報を受信する。すなわち、上記１．２．の条件を満たす場合に設定情報を受信する。同期情報受信部１６は同期先の電子黒板２のＣＰＵ１０１がプログラムを実行しネットワークコントローラ１０５を制御すること等により実現される。
【００７４】
<<端末装置３０>>
端末装置３０は、通信部３１、操作受付部３２及び表示制御部３３を有する。端末装置３０が有するこれら各機能部は、図５に示された各構成要素のいずれかが、ＨＤＤ２０９からメモリ２０２に展開されたプログラムに従ったＣＰＵ２０１からの命令により動作することで実現される機能又は手段である。
【００７５】
通信部３１は、同期元の電子黒板２α又は同期先の電子黒板２と各種の情報を送受信する。本実施形態では、Ｗｅｂページを受信し、設定情報を送信する。通信部３１は、端末装置３０のＣＰＵ２０１がプログラム２０９ｐを実行してネットワーク・ドライバ２０５を制御すること等により実現される。
【００７６】
操作受付部３２は、端末装置３０に対する管理者の各種の操作を受け付ける。操作受付部３２は、端末装置３０のＣＰＵ２０１がプログラム２０９ｐを実行して入力装置２１０を制御すること等により実現される。
【００７７】
表示制御部３３は、電子黒板２から送信されるＷｅｂページを解析してＬＣＤ２０６が表示する画面を生成する。また、操作受付部３２が受け付けたユーザ入力に応じて画面を更新する。表示制御部３３は、端末装置３０のＣＰＵ２０１がプログラム２０９ｐを実行してグラフィクス・ドライバ２０４を制御すること等により実現される。
【００７８】
＜同期元の設定例＞
本実施形態では、同期元であることの設定により任意の電子黒板２が同期元の電子黒板２αになる。同期元として設定されない電子黒板２は同期先リストに登録されることで同期先の電子黒板２になる。
【００７９】
図７は、端末装置３０のブラウザソフトウェアがＬＣＤ２０６に表示した同期元設定画面３０１の一例である。管理者は同期元に設定したい電子黒板２を端末装置３０で指定して、Ｗｅｂページを取得することで同期元設定画面３０１を表示させる。
【００８０】
同期元設定画面３０１は、同期元設定欄３０６を有する。同期元設定欄３０６には「機器設定の同期元にする」というメッセージ３０２ａとチェックボックス３０２ｂがある。管理者がチェックボックス３０２ｂをクリック（押下）すると操作受付部３２が受け付けて、表示制御部３３がチェックボックス３０２ｂにチェックマークを表示する。この設定が同期元の電子黒板２αに送信されると、端末装置３０の通信先の電子黒板２が同期元の電子黒板２αに設定される。
【００８１】
また、同期元設定欄３０６はアップロードボタン３０３、ダウンロードボタン３０４、及び、同期テストボタン３０５を有する。アップロードボタン３０３は、表２に示した同期先リストを端末装置３０が電子黒板２に送信するためのボタンである。ダウンロードボタン３０４は表２に示した同期先リストを端末装置３０が電子黒板２から受信するためのボタンである。同期テストボタン３０５は、同期先リストに登録された同期先の電子黒板２と同期元の電子黒板２αが同期できるかをテストするためのボタンである。同期テストボタンが押下されると、同期元の電子黒板２αは同期先の電子黒板２から設定情報を実際に受信する。これにより、単なるＩＰレイヤの通信テストでなく、アプリケーションレイヤで通信可能かどうかを判断できる。
【００８２】
また、同期元設定画面３０１の下方には設定情報の一括設定欄３１１がある。設定情報の一括設定欄３１１には、アップロードボタン３１２とダウンロードボタン３１３がある。このダウンロードボタン３１３は、任意の電子黒板２から端末装置３０が設定情報を受信するためのボタンであり、アップロードボタン３１２は設定情報を電子黒板２にアップロードするためのボタンである。このように、端末装置３０は設定情報の全体を一括でダウンロードしたりアップロードしたりできる。
【００８３】
なお、「ホワイトボード拠点名、ネットワークの自動設定、ＩＰアドレス、サブネットマスク、デフォルトゲートウェイ」はアップロードされない旨３１４が記載されている。これは、これらが同じ設定の電子黒板があることは通信等に支障をもたらすためである。また、同期元かどうかの設定（機器設定の同期）もアップロードされない旨３１５が記載されている。これは、同期元であることの設定が同期されると同期元の電子黒板２αばかりになるためである。
【００８４】
また、図７は同期元の設定画面であるが、端末装置３０が同期可否の設定画面を表示し、管理者が設定することで、同期可否も同様に設定できる。また、同期可否の設定はＵＩ設定でも可能である。
【００８５】
図８は、端末装置３０が同期元の電子黒板２αを設定する手順を示すシーケンス図の一例である。
【００８６】
S1：管理者が端末装置３０を操作することで、通信部３１が同期元設定画面３０１の取得要求を電子黒板に送信する。同期元の電子黒板２αは、管理者が同期元にしたいと選択した電子黒板２でありＩＰアドレスなどは既知である。
【００８７】
S2：同期元の電子黒板２αのＷｅｂサーバ部１３は同期元設定画面３０１の取得要求に対し同期元設定画面３０１のＷｅｂページを送信する。
【００８８】
S3：端末装置３０の表示制御部３３は同期元設定画面３０１を表示する。管理者が「機器設定の同期元にする」というメッセージ３０２ａのチェックボックス３０２ｂをクリック（押下）すると、操作受付部３２が受け付ける。
【００８９】
S4：端末装置３０の通信部３１は同期元にする旨の情報を同期元の電子黒板２αに送信する。なお、単にチェックボックス３０２ｂをクリック（押下）することで送信されるのでなく、明示的な送信の操作をもって送信してよい。
【００９０】
S5：同期元の電子黒板２αのＷｅｂサーバ部１３は同期元にする旨の情報を受信し、設定情報受信部１２が同期元情報１９４として記憶部１９に記憶させる。
【００９１】
＜設定情報の設定＞
続いて、図９〜図１１を用いて、電子黒板２への設定情報の設定について説明する。なお、設定先の電子黒板２は同期元でも同期先でもよい。
【００９２】
図９は、端末装置３０のブラウザソフトウェアがＬＣＤ２０６に表示した設定情報設定画面３２１−１の一例である（Ｗｅｂ設定）。管理者は設定情報を設定したい電子黒板２を端末装置３０で指定して、Ｗｅｂページを取得することで設定情報設定画面３２１−１を表示させる。
【００９３】
設定情報設定画面３２１−１は、メールアドレス帳設定欄３２２、コンタクトリスト設定欄３２３、共有フォルダーリスト設定欄３２４、及び、テンプレート設定欄３２５を有する。メールアドレス帳設定欄３２２はアップロードボタン３２６を有しており、管理者は予め用意してあるメールアドレス帳をアップロードすることでメールアドレス帳を設定できる。なお、ダウンロードボタン３２７は現在、電子黒板２に設定されているメールアドレス帳を端末装置３０が取得するためのボタンである。コンタクトリスト設定欄３２３とテンプレート設定欄３２５についても同様である。テンプレート設定欄３２５に関しては各テンプレートの画像例３２９が表示されており、管理者は電子黒板２が表示するテンプレートを選択する。
【００９４】
共有フォルダーリスト設定欄３２４には更に接続テストボタン３２８が表示されている。接続テストボタン３２８は、電子黒板２が共有フォルダーにアクセスできるかどうかをテストするためのボタンである。
【００９５】
図１０は、同様の設定を電子黒板２のディスプレイ３から管理者が設定するための設定情報設定画面３２１−２の一例である（ＵＩ設定）。設定される情報は図９と同様であり、設定情報設定画面３２１−２は設定情報設定画面３２１−１と同様の項目を有している。したがって、管理者は端末装置３０がなくても設定情報を任意の電子黒板２に設定できる。
【００９６】
図１１は、プリンターアドレスを電子黒板のディスプレイから管理者が設定するための設定情報設定画面３２１−３の一例である（ＵＩ設定）。設定情報設定画面３２１−３は、プリンターアドレス欄３３１、及び、認証設定欄３４１を有する。プリンターアドレス欄３３１には、電子黒板２が使用するプリンターのＩＰアドレスが設定される。
【００９７】
認証設定欄３４１には、ユーザがプリンターを使用する際に認証を必要とするか否かの設定ボタン３３２が表示され、認証を必要とすると設定されると認証情報が設定される。認証情報として、ユーザＩＤが設定されるユーザコード欄３３３、ユーザ名が設定されるユーザ名欄３３４、パスワードが設定されるパスワード欄３３５、がある。また、印刷されるデータを暗号化する旨のチェックボックス３３６と、暗号鍵の入力欄３３７がある。
【００９８】
なお、図１１の設定を端末装置３０がＷｅｂ設定で行うことも可能である。また、図９〜図１１の設定情報は一例であり、これら以外の設定情報も端末装置３０又は電子黒板２から設定されることができる。
【００９９】
図１２（ａ）はＷｅｂ設定による項目ごとの設定情報の設定手順を示すシーケンス図の一例である。
【０１００】
S1：管理者が端末装置３０を操作することで、通信部３１が設定情報設定画面３２１−１の取得要求を同期元の電子黒板２αに送信する。同期元の電子黒板２αは、管理者が同期元にしたいと選択した電子黒板２でありＩＰアドレスなどは既知である。
【０１０１】
S2：同期元の電子黒板２αのＷｅｂサーバ部１３は設定情報設定画面３２１−１の取得要求に対し設定情報設定画面３２１−１のＷｅｂページを送信する。
【０１０２】
S3：端末装置３０の表示制御部３３は設定情報設定画面３２１−１を表示する。管理者が適宜、設定情報を設定すると、操作受付部３２が受け付ける。
【０１０３】
S4：端末装置３０の通信部３１は設定情報を同期元の電子黒板２αに送信する。
【０１０４】
S5：同期元の電子黒板２αのＷｅｂサーバ部１３は設定情報を受信し、設定情報受信部１２が通信取得情報記憶部１９３に記憶させる。
【０１０５】
図１２（ｂ）はＵＩ設定による設定情報の設定手順を示すシーケンス図の一例である。
【０１０６】
S1：管理者が同期元の電子黒板２αを操作することで、通信部３１が設定情報設定画面３２１−２、３２１−３を表示させる。
【０１０７】
S2：管理者は適宜、設定情報を設定する。
【０１０８】
S3：同期元の電子黒板２αの設定受付部１１が設定を受け付ける。
【０１０９】
S4：設定受付部１１は設定情報を現在設定情報記憶部１９２に記憶させる。
【０１１０】
図１２（ｃ）はＷｅｂ設定による設定情報の一括の設定手順を示すシーケンス図の一例である。
【０１１１】
S1：管理者が端末装置３０を操作することで、通信部３１が同期元設定画面３０１の取得要求を同期元の電子黒板２αに送信する。同期元の電子黒板２αは、管理者が同期元にしたいと選択した電子黒板２でありＩＰアドレスなどは既知である。
【０１１２】
S2：同期元の電子黒板２αのＷｅｂサーバ部１３は同期元設定画面３０１の取得要求に対し同期元設定画面３０１のＷｅｂページを送信する。
【０１１３】
S3：端末装置３０の表示制御部３３は同期元設定画面３０１を表示する。管理者が設定情報の一括設定欄３１１のアップロードボタン３１２をクリック（押下）すると、操作受付部３２が受け付ける。
【０１１４】
S4：端末装置３０の通信部３１は設定情報の全体を同期元の電子黒板２αに送信する。  S5：同期元の電子黒板２αのＷｅｂサーバ部１３は設定情報の全体を受信し、設定情報受信部１２が通信取得情報記憶部１９３に記憶させる。
【０１１５】
＜動作手順＞
図１３は、同期元の電子黒板２αが同期先の電子黒板２に設定情報を送信する手順を示すシーケンス図の一例である。図１３では同期先の電子黒板２Ａの同期可否が「同期する」であり、同期先の電子黒板２Ｂの同期可否が「同期しない」である。
【０１１６】
S1：同期元の電子黒板２αの情報送受信部１４は同期タイミングになると、同期先リストに登録されているＩＰアドレスを宛先にして、まず、同期可否を同期先の電子黒板２Ａに要求する。
【０１１７】
S2：同期先の電子黒板２Ａの同期情報受信部１６は同期先設定方針記憶部１９６から同期可否を読み出して、同期元の電子黒板２αに送信する。図１３のステップＳ２では「同期する」を受信したものとする。
【０１１８】
S3：同期元の電子黒板２αの情報送受信部１４は同期可否（「同期する」又は「同期しない」）を受信して、設定情報を送信するか否かを判断する。この判断のフローチャート図を図１４に示す。
【０１１９】
S4：同期元の電子黒板２αの情報送受信部１４は同期可否（同期する）を受信したので、現在設定情報記憶部１９２に記憶されている設定情報を、同期先の電子黒板２Ａに送信する。同期先の電子黒板２Ａの同期情報受信部１６は設定情報を受信し、同期取得設定情報記憶部１９５に設定情報を記憶させる。また、同期情報受信部１６は同期状態を同期済みに設定する。
【０１２０】
次に、同期元の電子黒板２αは同様の処理を同期先の電子黒板２Ｂに対しても行う。
S5〜S7：ステップS1〜S3と同様になる。ただし、図１３のステップＳ６では「同期しない」を受信したものとする。このため、同期元の電子黒板２αの設定情報受信部１２は以降の処理を行うことなく、設定情報を同期先の電子黒板２Ｂに送信しない。
【０１２１】
図１４は、同期元の電子黒板２αが同期可否に基づいて設定情報を送信するか否かを判断する手順を示すフローチャート図の一例である。図１４の処理は、同期元の電子黒板２αが同期可否を受信することでスタートする。
【０１２２】
まず、同期元の電子黒板２αの情報送受信部１４は同期可否として「同期する」を受信したか否かを判断する（Ｓ１０）。
【０１２３】
ステップＳ１０の判断がＮｏの場合、情報送受信部１４は設定情報を送信しないと判断する（Ｓ３０）。
【０１２４】
ステップＳ１０の判断がＹｅｓの場合、情報送受信部１４は設定情報を送信すると判断する（Ｓ２０）。
【０１２５】
このように、同期元の電子黒板２αの情報送受信部１４は同期先の電子黒板２が設定情報を同期するという同期可否の設定の場合にだけ設定情報を送信し、同期させることができる。
【０１２６】
＜設定情報の反映＞
ＵＩ設定の場合はリアルタイムに設定情報が電子黒板２に反映されるが、Ｗｅｂ設定と同期設定では再起動により設定情報が電子黒板２に反映される。Ｗｅｂ設定と同期設定ではユーザの操作中に設定情報が変わることがないようにするためである。ＵＩ設定ではユーザ自ら設定変更しているので設定情報が変更されても違和感がなく、むしろ早急に設定変更を反映させるためである。
【０１２７】
図１５は、同期先の電子黒板２が設定情報を反映させる手順を示すフローチャート図の一例である。図１５の説明では、シャットダウンと再起動により設定情報が反映されるものとする。
【０１２８】
同期先の電子黒板２の設定情報反映部１５は電子黒板２がシャットダウンされたか否かを判断する（Ｓ１０）。シャットダウンは、ユーザが行う場合と同期先設定方針記憶部１９６に設定されている再起動タイミングで実行される場合がある。
【０１２９】
設定情報反映部１５は、電子黒板２のシャットダウン処理の中で同期状態が同期済みであるか否かを判断する（Ｓ２０）。なお、シャットダウン処理とはセーブされていないデータを保存したり、ファイルをクローズしたりする処理である。
【０１３０】
同期状態が同期済みでない場合、起動中に同期元の電子黒板２αから設定情報が取得されていないので、図１５の処理は終了する。
【０１３１】
同期状態が同期済みである場合、設定情報反映部１５は同期取得設定情報記憶部１９５又は通信取得情報記憶部１９３の設定情報を現在設定情報記憶部１９２に記憶する（Ｓ３０）。これにより、次回の起動時に同期先の電子黒板２は現在設定情報記憶部１９２に記憶されている設定情報に基づいて動作できる。
【０１３２】
次に、設定情報反映部１５は同期状態を反映済みに設定する（Ｓ４０）。すなわち、設定情報が反映されたことを登録する。
【０１３３】
以上説明したように、本実施例の通信システム１００は、同期先の電子黒板２に同期元の電子黒板２αの情報（例えばＩＰアドレス）を設定する必要がないため、管理者の作業負担を低減できる。また、同期先ごとに管理者が同期可否を設定できるので、同期元の電子黒板２αと同期させたくない電子黒板２が同期元の電子黒板２αと設定情報を同期しないようにすることができる。また、仮に、管理者が間違った同期先の電子黒板２を同期元の電子黒板２αに設定しても、同期先の電子黒板２の同期可否が「同期しない」に設定されていれば、同期すべきでない同期先の電子黒板２が同期されることを防ぐことができる。
【実施例２】
【０１３４】
本実施例では、同期先の電子黒板２が同期済みか否かによって、同期元の電子黒板２αが設定情報を送信するか否かを制御する通信システム１００について説明する。したがって、同期元の電子黒板２αが、すでに設定情報を送信した同期先の電子黒板２に対し、設定情報を再送信することを抑制し、送信負荷を低減できる。
【０１３５】
なお、本実施例では実施例１の機能ブロック、及び、記憶部１９に記憶されている情報を援用して説明する。
【０１３６】
図１６は、同期元の電子黒板２αが同期先の電子黒板２に設定情報を送信する手順を示すシーケンス図の一例である。なお、図１６では同期可否の判断が省略されているが、本実施例においても同期可否の判断が行われている。実施例３以降の実施例に関しても同様である。
【０１３７】
S1：同期元の電子黒板２αの情報送受信部１４は同期タイミングになると、同期先リストに登録されているＩＰアドレスを宛先にして、同期設定のフラグを同期先の電子黒板２Ａに要求する。
【０１３８】
S2：同期先の電子黒板２Ａの同期情報受信部１６は同期先設定方針記憶部１９６から同期状態を読み出して、同期元の電子黒板２αに送信する。図１６のステップＳ２では「未同期」を受信したものとする。
【０１３９】
S3：同期元の電子黒板２αの情報送受信部１４は同期状態を受信して、設定情報を送信するか否かを判断する。この判断のフローチャート図を図１７に示す。
【０１４０】
S4：「未同期」を受信したので、同期元の電子黒板２αの情報送受信部１４は、現在設定情報記憶部１９２に記憶されている設定情報を、同期先の電子黒板２Ａに送信する。
【０１４１】
S5：同期先の電子黒板２Ａの同期情報受信部１６は設定情報を受信し、同期取得設定情報記憶部１９５に設定情報を記憶させ、同期状態を同期済みに設定する。
【０１４２】
S6：同様の手順として、同期元の電子黒板２αの情報送受信部１４は同期タイミングになると、同期先リストに登録されているＩＰアドレスを宛先にして、同期状態を同期先の電子黒板２Ａに要求する。
【０１４３】
S7：同期先の電子黒板２Ａの同期情報受信部１６は同期先設定方針記憶部１９６から同期状態を読み出して、同期元の電子黒板２αに送信する。図１６のステップＳ７では「同期済み」を受信したものとする。
【０１４４】
S8：同期元の電子黒板２αの情報送受信部１４は同期状態を受信して、設定情報を送信するか否かを判断する。同期済みを受信したため、情報送受信部１４は設定情報を送信しない。
【０１４５】
図１７は、同期元の電子黒板２αが同期可否と同期状態に基づいて設定情報を送信するか否かを判断する手順を示すフローチャート図の一例である。図１７の説明では主に図１４との相違を説明する。ステップＳ１０の処理は図１４と同様である。
【０１４６】
ステップＳ１０の判断がＹｅｓの場合、情報送受信部１４は同期状態として「未同期」を受信したか否かを判断する（Ｓ１１）。
【０１４７】
ステップＳ１１の判断がＮｏの場合、情報送受信部１４は設定情報を送信しないと判断する（Ｓ３０）。
【０１４８】
ステップＳ１１の判断がＹｅｓの場合、情報送受信部１４は設定情報を送信すると判断する（Ｓ２０）。
【０１４９】
なお、設定情報を反映させる手順は実施例１の図１５と同様でよい。
【０１５０】
このように、同期元の電子黒板２αの情報送受信部１４は同期先の電子黒板２が設定情報を受信していない場合に設定情報を送信し、同期させることができる。したがって、送信負荷を低減できる。
【実施例３】
【０１５１】
本実施例では、ＵＩ設定により同期状態を未同期に設定できる通信システム１００について説明する。
【０１５２】
まず、本実施例の背景を説明する。同期設定による設定情報を同期先の電子黒板２が受信することで、同期状態が同期済みになる。この時の同期状態を示す。
同期状態    ：    同期済み
次に、ＵＩ設定により設定情報が設定されたものとする。例えば、一時的にユーザがプリンターを切り替えたり、テンプレートを切り替えたりする場合がある。この時の同期状態を示す。
同期設定    ：    同期済み  又は  反映済み
同期済みの場合、実施例２によれば同期先の電子黒板２は設定情報を受信できない。シャットダウンと再起動が行われでも、同期状態は反映済みになるだけなので、同期先の電子黒板２は同期設定の設定情報を受信できない。このままでは電子黒板２の設定情報が同期されず、ＵＩ設定の設定情報で同期先の電子黒板２が動作してしまう。
【０１５３】
図１８は、同期元の電子黒板２αが同期先の電子黒板２に設定情報を送信する手順を示すシーケンス図の一例である。ステップＳ１〜Ｓ５の処理は図１６と同様でよい。
S6：同期先の電子黒板２の設定受付部１１がディスプレイから設定情報の設定を受け付ける（ＵＩ設定）。
S7：設定受付部１１は、同期設定による設定情報の受信を可能にするために、同期状態を未同期に設定する。
【０１５４】
ステップＳ８〜Ｓ１１は、ステップＳ１〜Ｓ４と同様であるが、同期状態が未同期なので、同期元の電子黒板２αが設定情報を同期先の電子黒板２に送信できる。
【０１５５】
なお、同期先の電子黒板２が設定情報を反映させる手順は図１５と同様でよい。
【０１５６】
したがって、本実施例によれば、同期先の電子黒板２が設定情報を受信した後、ＵＩ設定により設定情報が設定されると同期状態が未同期になるので、同期設定により設定情報を受信することを可能にできる。すなわち、管理者が直接、設定情報を設定しても同期設定の設定情報に戻すことができる。
【実施例４】
【０１５７】
本実施例では、同期元の電子黒板２αが送信する設定情報に識別情報が付与されている通信システム１００について説明する。
【０１５８】
同期先の電子黒板２は設定情報の識別情報と共に同期状態（同期済み）を同期元の電子黒板２αに送信し、同期元の電子黒板２αは識別情報が異なる場合に設定情報を同期先の電子黒板２に送信する。これにより、同期先の電子黒板２は同期状態が同期済みでも新しい設定情報を受信できる。
【０１５９】
本実施例では同期先設定方針記憶部１９６に記憶されている情報が実施例１〜３と異なる。以下、相違を説明する。
【０１６０】
【表４】
2019029814.tif 000006
表４は同期先設定方針記憶部１９６に記憶されている情報を模式的に示す。本実施例では同期状態の同期済みに設定情報の識別情報（表４では０００１）が設定される。反映済みにおいても設定情報の識別情報が設定される。すなわち、設定情報が受信されたことだけでなく、どの設定情報が受信されたかが判別される。設定情報の識別情報は同期元の電子黒板２αが付与しており一意性が保証されている。
【０１６１】
＜動作＞
図１９は、同期元の電子黒板２αが同期先の電子黒板２に設定情報を送信する手順を示すシーケンス図の一例である。
【０１６２】
S1：まず、同期元の電子黒板２αの情報送受信部１４は設定情報にＩＤ１という識別情報を付与する。
【０１６３】
S2：同期元の電子黒板２αの情報送受信部１４は同期タイミングになると、同期先リストに登録されているＩＰアドレスを宛先にして、同期状態を同期先の電子黒板２Ａに要求する。
【０１６４】
S3：同期先の電子黒板２Ａの同期情報受信部１６は同期先設定方針記憶部１９６から同期状態を読み出して、同期元の電子黒板２αに送信する。図１９のステップＳ３では「未同期」を受信したものとする。
【０１６５】
S4：同期元の電子黒板２αの情報送受信部１４は同期状態を受信して、設定情報を送信するか否かを判断する。この判断のフローチャート図を図２０に示す。
【０１６６】
S5：「未同期」を受信したので、同期元の電子黒板２αの情報送受信部１４は、現在設定情報記憶部１９２に記憶されている設定情報と識別情報（ＩＤ１）を、同期先の電子黒板２Ａに送信する。
【０１６７】
S6：同期先の電子黒板２Ａの同期情報受信部１６は設定情報と識別情報（ＩＤ１）を受信し、同期取得設定情報記憶部１９５に設定情報を記憶させ、同期状態を同期済みに設定し、更に識別情報（ＩＤ１）を設定する。
【０１６８】
S7：管理者が同期元の電子黒板２αのディスプレイ３から設定情報を設定する（ＵＩ設定）。
【０１６９】
S8：同期元の電子黒板２αの情報送受信部１４は設定情報にＩＤ２という識別情報を付与する。
【０１７０】
S9：同期元の電子黒板２αの情報送受信部１４は同期タイミングになると、同期先リストに登録されているＩＰアドレスを宛先にして、同期状態を同期先の電子黒板２に要求する。
【０１７１】
S10：同期先の電子黒板２Ａの同期情報受信部１６は同期先設定方針記憶部１９６から同期状態（同期済み）と識別情報を読み出して、同期元の電子黒板２αに送信する。
【０１７２】
S11：同期元の電子黒板２αの情報送受信部１４は同期状態（同期済み）と識別情報ＩＤ１を受信して、識別情報ＩＤ２と比較することで設定情報を送信するか否かを判断する。図１９のステップＳ１１では識別情報がＩＤ１とＩＤ２で異なるので、情報送受信部１４は設定情報を送信すると判断する。
【０１７３】
S12：同期元の電子黒板２αの情報送受信部１４は、現在設定情報記憶部１９２に記憶されている設定情報と識別情報（ＩＤ２）を、同期先の電子黒板２Ａに送信する。
【０１７４】
S13：同期先の電子黒板２Ａの同期情報受信部１６は設定情報と識別情報（ＩＤ２）を受信し、同期取得設定情報記憶部１９５に設定情報を記憶させ、同期状態を同期済みに設定し、更に識別情報（ＩＤ２）を設定する。
【０１７５】
図２０は、同期元の電子黒板２αが同期可否、同期状態及び設定情報の識別情報に基づいて設定情報を送信するか否かを判断する手順を示すフローチャート図の一例である。図２０の説明では主に図１７との相違を説明する。ステップＳ１０、Ｓ１１の処理は図１７と同様である。
【０１７６】
ステップＳ１１の判断がＮｏの場合、情報送受信部１４はこれから送信しようとする識別情報が、同期先の電子黒板２から送信された識別情報と異なるかどうかを判断する（Ｓ１２）。
【０１７７】
ステップＳ１２の判断がＹｅｓの場合、設定情報を送信すべきなので情報送受信部１４は設定情報を送信すると判断する（Ｓ２０）。
【０１７８】
ステップＳ１２の判断がＮｏの場合、設定情報を送信する必要がないので、情報送受信部１４は設定情報を送信しないと判断する（Ｓ３０）。
【０１７９】
なお、設定情報の反映の手順は図１５と同様でよい。
【０１８０】
したがって、本実施例の通信システム１００は設定情報に識別情報が付与されているので、同期先の電子黒板２がすでに設定情報を受信していても同期元の電子黒板２αが最新の設定情報を送信できる。
【実施例５】
【０１８１】
本実施例では実施例４の仕組みを利用して、異なる同期元の電子黒板２αから同期先の電子黒板２が設定情報を受信できる通信システム１００について説明する。
【０１８２】
図２１は、同期元の電子黒板２αが同期先の電子黒板２に設定情報を送信する手順を示すシーケンス図の一例である。図２１の説明では主に図１９との相違を説明する。
【０１８３】
まず、図２１のステップＳ１〜Ｓ６の処理は図１９と同様でよい。この後、同期元の電子黒板２αが同期元の電子黒板２αＡから同期元の電子黒板２αＢに切り替わった。切り替えは、上記のように管理者が同期元設定画面３０１で変更できる。切り替わる理由としては種々の理由が考えられるが、例えば、同期元の電子黒板２αが交換されることが考えられる。続く、図２１のステップＳ７〜１２の処理は図１９のＳ８〜Ｓ１３と同様でよい。
【０１８４】
したがって、本実施例の通信システム１００は設定情報に識別情報が付与されているので、同期元の電子黒板２αが切り替わった場合でも、同期先の電子黒板２が最新の設定情報を受信できる。
【実施例６】
【０１８５】
本実施例では、同期状態が反映済みの場合に、同期先の電子黒板２にＵＩ設定で設定情報が設定されると同期状態を未同期に設定する通信システム１００について説明する。同期状態が未同期に設定されるので、同期先の電子黒板２は同期元の電子黒板２αと設定情報を同期できる。
【０１８６】
図２２は、同期元の電子黒板２αが同期先の電子黒板２に設定情報を送信する手順を示すシーケンス図の一例である。図２２では主に図１８との相違を説明する。まず、ステップＳ１〜Ｓ５は図１８と同様でよい。
【０１８７】
S6：次に、同期先の電子黒板２が再起動（シャットダウンと起動）を行い、同期先の電子黒板２の設定情報反映部１５が同期取得設定情報記憶部１９５の設定情報を現在設定情報記憶部１９２に記憶させる。
【０１８８】
S7：同期先の電子黒板２の設定情報反映部１５は同期状態を反映済みに変更する。
【０１８９】
S8：管理者が同期先の電子黒板２のディスプレイ３から設定情報を設定する（ＵＩ設定）。ＵＩ設定する理由は実施例３と同様である。
【０１９０】
S9：同期先の電子黒板２の設定受付部１１はＵＩ設定を検出し、同期設定による設定情報の受信を可能にするために、同期状態を未同期に設定する。
【０１９１】
こうすることで、同期先の電子黒板２にＵＩ設定により設定情報が設定されると同期状態が反映済みから未同期に変更されるので、同期先の電子黒板２が同期元の電子黒板２αから設定情報を受信することを可能にできる。したがって、管理者が直接、設定情報を設定しても同期設定の設定情報に戻すことができる。
【０１９２】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０１９３】
例えば、上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたASIC(Application Specific Integrated Circuit)、DSP（digital signal processor）、FPGA（field programmable gate array）、SOC(System on a chip)、GPU（Graphics Processing Unit）や従来の回路モジュール等のデバイスを含むものとする。
【０１９４】
また、本実施形態では同期可否、同期状態、及び、設定情報の識別情報によって同期元の電子黒板２αが設定情報を送信しないと説明した。しかし、同期元の電子黒板２αが設定情報を送信して、同期元の電子黒板２が同期可否、同期状態、及び、設定情報の識別情報に応じて破棄してもよい。
【０１９５】
また、図６などの構成例は、電子黒板２による処理の理解を容易にするために、主な機能に応じて分割したものである。処理単位の分割の仕方や名称によって本願発明が制限されることはない。電子黒板２の処理は、処理内容に応じて更に多くの処理単位に分割することもできる。また、１つの処理単位が更に多くの処理を含むように分割することもできる。
【０１９６】
また、図６の記憶部１９に図示される各記憶部の１つ以上はネットワーク上に存在していてもよい。
【０１９７】
なお、現在設定情報記憶部１９２は設定情報記憶手段の一例であり、情報送受信部１４は情報送受信手段の一例であり、同期情報受信部１６は情報受信手段の一例であり、設定受付部１１は設定受付手段の一例であり、設定情報反映部１５は情報反映手段の一例であり、同期元の電子黒板２αは第一の電子機器の一例であり、同期先の電子黒板２は第二の電子機器の一例である。
【符号の説明】
【０１９８】
２          電子黒板
１１        設定受付部
１２        設定情報受信部
１４        情報送受信部
１６        同期情報受信部
３０        端末装置
１００      通信システム
【先行技術文献】
【特許文献】
【０１９９】
【特許文献１】特開２０１７−０６８６８４号公報
【図１】
2019029814.tif 000007
【図２】
2019029814.tif 000008
【図３】
2019029814.tif 000009
【図４】
2019029814.tif 000010
【図５】
2019029814.tif 000011
【図６】
2019029814.tif 000012
【図７】
2019029814.tif 000013
【図８】
2019029814.tif 000014
【図９】
2019029814.tif 000015
【図１０】
2019029814.tif 000016
【図１１】
2019029814.tif 000017
【図１２】
2019029814.tif 000018
【図１３】
2019029814.tif 000019
【図１４】
2019029814.tif 000020
【図１５】
2019029814.tif 000021
【図１６】
2019029814.tif 000022
【図１７】
2019029814.tif 000023
【図１８】
2019029814.tif 000024
【図１９】
2019029814.tif 000025
【図２０】
2019029814.tif 000026
【図２１】
2019029814.tif 000027
【図２２】
2019029814.tif 000028